(57)【要約】【課題】被切断材を溶融しながら切断する際に用いられ、フラットバーを平行に立設し、フラットバー上端部には、該上端部を溶損から保護するために保護カバーを取着してなる切断用定盤において、定盤下に砂利を敷設したり、搬出機を設置することなく、きわめて簡単な構成でもって、切断時に発生するノロを受けることができるようにする。【解決手段】フラットバー上端部に一定間隔で取着される保護カバー３は、上下方向の中央に左右両側方に突出するノロ受け６を設け、切断時に発生するノロを受けるようにする。保護カバー３はまた、上側部が上端に向かって先細りの楔状をなし、熱源が保護カバー３に当たっても該保護カバー３に案内されて逃げ、跳ね返って被切断材を損傷することがないようにする。【選択図】図４
2011235340.tif 000002
【特許請求の範囲】
【請求項１】
ガス、プラズマ、レーザ等の熱源を用いて被切断材を切断する際に用いられ、被切断材が載せられる切断用定盤であって、フラットバーを平行に立設するか、或いはフラットバーを縦横に立設した構成を有し、前記フラットバーのうち、少なくとも溶損し易い箇所のフラットバー上端部に、該フラットバー上端部を溶損から保護するための保護カバーを取外し可能に取着してなる切断用定盤において、前記保護カバーには、切断時に発生するノロを受けるノロ受けを側方に突設したことを特徴とする切断用定盤。
【請求項２】
前記保護カバーは長手方向に複数に分割され、個々に取外し可能であることを特徴とする請求項１記載の切断用定盤。
【請求項３】
前記保護カバーは少なくとも上端部が上端に向かって先細りの楔状に形成されることを特徴とする請求項１又は２記載の切断用定盤。
【発明の詳細な説明】
【技術分野】
【０００１】
本発明は、プラズマ切断トーチ、レーザ切断トーチ等を用いて被切断材を切断する際に用いる切断用定盤に関する。
【背景技術】
【０００２】
この種の切断用定盤は一般に、架台上に複数のフラットバーを平行に立設した構成を有するか、或いはフラットバーを縦横に格子状に立設した構成を有し、被切断材の切断時には、定盤上に載せた被切断材に対し、トーチを定盤の長手方向に移動させてプラズマアーク或いはレーザビームを噴射ないし照射し、被切断材を溶融しながら切断するようになっており、切断時には溶融物のノロが大量に発生する。
【０００３】
発生したノロは床に落下して滞積するが、冷えて固まってしまうと、除去するのが容易でない。
【０００４】
ノロ対策としては、定盤下の床上に砂利を敷き詰める方法（特許文献１）、多数のフラットを無端状に連結したクローラ形態の搬出機を定盤下に配置して落下したノロを搬出するか、或いはバケットを床面上に移動させてノロを回収する方法（特許文献２）などが知られる。
【０００５】
上述する被切断材の切断時においては、フラットバー上端部が溶損しがちである。この対策としてフラットバー上端部にキャップ状の保護カバーを被せ、保護カバーが溶損したときには保護カバーを取換え、フラットバー先端部を溶損から保護するようにしたものも知られる。
【先行技術文献】
【特許文献】
【０００６】
【特許文献１】特開平６−１３４５７３号
【特許文献２】特許第４０４０１５４号
【発明の概要】
【発明が解決しようとする課題】
【０００７】
上述する従来のノロ対策は、手間がかかるか、搬出するための設備が必要である。
本発明は、上記の問題を解消することができるノロ対策用の切断用定盤を提供することを目的とする。
【課題を解決するための手段】
【０００８】
請求項１に係わる発明は、ガス、プラズマ、レーザ等の熱源を用いて被切断材を切断する際に用いられ、被切断材が載せられる切断用定盤であって、フラットバーを平行に立設するか、或いはフラットバーを縦横に立設した構成を有し、前記フラットバーのうち、少なくとも溶損し易い箇所のフラットバー上端部に、該フラットバー上端部を溶損から保護するための保護カバーを取外し可能に取着してなる切断用定盤において、前記保護カバーには、切断時に発生するノロを受けるノロ受けを側方に突設したことを特徴とする。
【０００９】
請求項２に係わる発明は、請求項１に係わる発明において、保護カバーは長手方向に複数に分割され、個々に取外し可能であることを特徴とし、
請求項３に係わる発明は、請求項１又は２に係わる発明において、保護カバーは少なくとも上端部が上端に向かって先細りの楔状に形成されることを特徴とする。
【発明の効果】
【００１０】
請求項１に係わる発明によると、フラットバー先端部に取着される保護カバーにノロ受けを設けるだけのきわめて簡単な構成でもって、切断時に発生するノロを受けることができ、従来のノロ対策のように、定盤下に砂利を敷設したり、搬出機を設置する必要がない。なお、ノロ受けに溜まるノロは、保護カバー交換時に保護カバーと共に回収される。
【００１１】
請求項２に係わる発明によると、溶損が激しい箇所の保護カバーのみを取換えることができるため（定盤の両側部分、とりわけ両端部では溶損やノロの発生もないか、ほとんどないため保護カバーを設ける必要もないかほとんどなく、保護カバーを設けるにしてもその取換えの必要がないか、ほとんどなく、取換えが行われなくても支障がない）、一体ものの保護カバー全体を取換えるのと比べ、経済的で、取換作業も容易である。また保護カバーの取換えは、被切断材を一旦交換領域外の保護カバー上に移動させてから行うことが可能で、切断作業を中断させることなく行うことができる。
【００１２】
請求項３に係わる発明によると、ガス、プラズマアーク、レーザビーム等の熱源は保護カバーに当たっても、該保護カバーに案内されて逃げるようになり、跳ね返って被切断材を損傷するのを防ぐことができる。
【図面の簡単な説明】
【００１３】
【図１】切断用定盤の一例の概略構成を示す平面図。
【図２】保護カバーを取着したフラットバーの概略構成を示す側面図。
【図３】図３の要部の詳細を示す図。
【図４】図３のＡ−Ａ線拡大断面図。
【図５】保護カバーの変形態様の断面図。
【発明を実施するための形態】
【００１４】
以下、本発明の実施形態の切断用定盤について図面により説明する。
図１に示す切断用定盤１は、例えば鋳鉄製或いは鋼製のフラットバー２を平行に立設してなるもので、フラットバー上端部には図２に示すように一定間隔で保護カバー３が被せられ、取外し可能に取着されている。
【００１５】
図３は、フラットバー上端部に取着される保護カバー３の詳細を示すものであり、図４は図３のＡ−Ａ線における断面を示すもので、該保護カバー３はフラットバー２と同材質である、例えば鋳鉄製或いは鋼製で、下側部にフラットバー上端部に差込まれる差込溝４を有し、上側部は上端に向かって先細り状の楔状をなしている。そして上下方向の中央に左右両側に突出するノロ受け６を溶接にて固着するか、或いは一体形成している。このノロ受け６は図示する例では側方に突出するだけの形態をなしているが、ノロを受ける機能を有していれば、どのような形態をなしていてもよい。図５は、ノロ受けの別の例を示すもので、該ノロ受け８は断面が上向きの鉤状をなし、受けたノロがこぼれ落ちないようにしてある。
【００１６】
保護カバー３のフラットバー２への取付けは、保護カバー３をフラットバー上端部に差込んだのち、ボルト９を保護カバー３に通し、フラットバー上端部に捩じ込むことにより行われる（図４）。
【００１７】
前述する保護カバー３は、切断用定盤１の全域に設けられるが、溶損すなわちノロが発生し易い箇所、例えば定盤１の左右両側部分或いは左右両端部を除く箇所の中央部分にのみ設けてもよい。
【００１８】
前述する好ましい実施形態の保護カバー３はフラットバー上端部の長手方向に一定間隔で取着され、各保護カバー３は上側部が楔状に形成されているが、これらは必須の構成ではなく、保護カバー３に前述のノロ受け６、８を設けるだけで、切断時のノロを受け、本発明の所期の目的を達成することができる。
【００１９】
前述の実施形態では、切断用定盤１は、フラットバー２を平行に立設して構成されているが、フラットバーを縦横に格子状に立設した構成の既存のものにおいても、ノロ受け６、８を備えた保護カバー３が所要のフラットバーに同様にして取付けられる。
【符号の説明】
【００２０】
１・・切断用定盤
２・・フラットバー
３・・保護カバー
４・・差込溝
６、８・・ノロ受け
９・・ボルト
【図１】
2011235340.tif 000003
【図２】
2011235340.tif 000004
【図３】
2011235340.tif 000005
【図４】
2011235340.tif 000006
【図５】
2011235340.tif 000007